(57)【要約】【課題】  半身不随の人、握力の小さい老人・子どもでも容易に片手でペットボトルを持ち運べるようにする。また、片手操作でペットボトル内容物をコップ等の容器に注げるようにする。【解決手段】  ペットボトルの半分高さより上方の位置に,胴部１０の胴面に少なくとも１本の指(人差し指・中指・薬指の内の少なくとも１本)を引っ掛け、ペットボトルを吊りて下げ持ち運びできる第一の凹部２０と、前記第一の凹部２０の約４０mm上方に親指を引っ掛ける第二の凹部３０を対向配置したもので、第一の凹部２０は奥行き方向に上向き傾斜し、第二の凹部３０は奥行き方向に下向き傾斜してそれぞれアンダーカット状を呈した構成。【選択図】  図２
2008155970.tif 000002
【特許請求の範囲】
【請求項１】
胴部の胴面に少なくとも１本の指を引っ掛けてペットボトルを吊り下げ搬送できる凹部を配設したものであって、前記凹部が奥行き方向に上向き傾斜しアンダーカット状を呈していることを特徴とするペットボトル。
【請求項２】
指の第一関節の略半分以上が引っ掛かる凹部としたことを特徴とする請求項１記載のペットボトル。
【請求項３】
凹部の開口高さhを15〜20mm程度、前記凹部の開口幅Wを20〜65mm、前記凹部の深さDを20mm以内、前記凹部の胴面に対する傾斜角度θを40〜60度としたことを特徴とする請求項１記載のペットボトル。
【請求項４】
凹部の天面と底面を繋ぐリブを開口の略中央部に配設したしたことを特徴とする請求項１〜３のいずれか１項に記載のペットボトル。
【請求項５】
胴部の胴面に少なくとも１本の指を引っ掛けてペットボトルを吊り下げ搬送できる第一の凹部と、前記第一の凹部の上方に親指を引っ掛ける第二の凹部を対向配置したものであって、前記第一の凹部が奥行き方向に上向き傾斜し、前記第二の凹部が奥行き方向に下向き傾斜してそれぞれアンダーカット状を呈していることを特徴とするペットボトル。
【請求項６】
胴部の胴面に少なくとも１本の指を引っ掛けてペットボトルを吊り下げ搬送できる凹部を配設したものであって、前記凹部が奥行き方向にアンダーカット状を呈し指の第一関節の略半分以上が引っ掛かることを特徴とするペットボトル。
【発明の詳細な説明】
【技術分野】
【０００１】
本発明は、ペットボトルの形状に関する。詳しくは、ペットボトルの胴部の胴面に指を引っ掛けて吊り下げ,片手で持ち運びできるようにしたペットボトルに関する。さらに、親指と、人差し指・中指・薬指の内の少なくとも１本とを引っ掛けてペットボトルの胴面を挟持し,片手でペットボトル内の液体をコップ等に注ぐことを可能にしたペットボトルに関する。
【背景技術】
【０００２】
脳梗塞等により半身不随の人、老人・子どもなどの握力が弱い人、あるいは手の小さい人にとって、内容積が2〜3リットル程度の大型ペットボトルを片手で挟持すること、挟持し運ぶこと、または挟持して内容物をコップ等に注ぐことが困難である。特に、ペットボトルを冷蔵庫から出した直後は結露して滑りやすく、ペットボトルの取扱いと持ち運びが不便で難渋していた。特に、軽量化とコスト減のためペットボトルの肉厚が薄い場合は胴部の押圧挟持により変形しやすく持ち運びしにくかった。
【０００３】
ペットボトルの胴部を手のひらと指で押圧挟持した際、ペットボトルの変形を防止するため、口部、胴部及び底部を備えた容器であって、前記胴部の高さ方向ほぼ中央に、容器口部側接続面、溝底面、容器底部側接続面を備えたウエスト溝が形成されており、少なくとも一組の互いに対向する把持凹部を前記ウエスト溝上に形成するとともに、少なくとも前記ウエスト溝の容器底部側接続面を含む領域に、前記ウエスト溝に対して前記底部側に位置し、かつ、容器内方に向かって凸曲面状の指収納凹部が、少なくとも一つ形成されていることを特徴とする容器として特開２００６−２５６６９３号公報が提案されている。
【０００４】
さらに、片手で把持したときに安定性よく持ち上げられ、かつ繰り返しの変形に強い容器として、容器胴部４の胴面４１に、複数の斜面７１，７２，７３によって容器内方に窪む把持部７を設けた容器１において、前記斜面の一つに外方に膨らむ凸部７５又は内方に窪む凹部７６を形成したことを特徴とする容器、前記斜面の少なくとも一つに段部７８を形成したことを特徴とする容器又は前記複数の斜面のうち、幅方向に形成してある斜面に稜線７９を設け、かつ、この稜線７９を容器幅方向の中心線側に傾斜させたことを特徴とするものが特開２００４−２５００６３号公報に提案されている。
【特許文献１】特開２００６−２５６６９３号公報
【特許文献２】特開２００４−２５００６３号公報
【発明の開示】
【発明が解決しようとする課題】
【０００５】
しかし特許文献１においては、ペットボトルの胴部を横方向から手と指で挟持するものであって、胴部を押圧挟持した際、指収納凹部６２に親指の側部の一部が引っ掛かるように構成したものである。また、胴部の裏面側に対向するごとく配設した把持凹部６３に人差し指や中指などの側部の一部が嵌り込むようにしたものである。
同様に特許文献２おいては、直立するペットボトルの胴部を横方向から手と指で挟持するものであって、胴部を挟持した際、凹部７６に親指の側部の一部が窪みに引っ掛かるようにし、胴部の裏面側に対向するごとく配設した凸部７５に人差し指や中指などの側部の一部が引っ掛かるようにしたものである。
【０００６】
このように特許文献１、２ではペットボトルの胴部を手のひらと指とで押圧挟持することを目的としており、本願のごとくペットボトルの胴部の胴面に設けたアンダーカット状の凹部に少なくとも１本の指を引っ掛けて吊り下げることを目的とするものでない。
ペットボトルを冷蔵庫から出した直後は結露して滑りやすい。特許文献１、２において、結露したペットボトルを持ち上げるにはすべらないよう胴部を挟持する力が強くなり、胴部が押圧力で変形する恐れが大きかった。
軽量化とコスト減を目的として肉厚を薄くしたペットボトルにおいても、胴部を手のひらと指で挟持すると押圧力で変形する恐れが大きかった。
【０００７】
本発明は半身不随の人、握力の小さい老人・子どもでも容易に片手でペットボトルを持ち運びできるようにする。また、片手操作でペットボトル内容物をコップ等の容器に注げるようにすることを目的とする。
【課題を解決するための手段】
【０００８】
本発明にかかる第一のペットボトルは、胴部の胴面に少なくとも１本の指を引っ掛けてペットボトルを吊り下げ搬送できる凹部を配設したものであって、前記凹部が奥行き方向に上向き傾斜しアンダーカット状を呈していることを特徴としたもので、これによりペットボトルが結露していても凹部から指が外れる恐れがない。また、胴部を押圧挟持することによる変形がない。半身不随の人、握力の小さい老人・子どもでも容易に片手でペットボトルを吊り下げて持ち運びできる。(請求項１)
【０００９】
なお、本発明にかかる第一のペットボトルにおいて、指の第一関節の略半分以上が引っ掛かる凹部とするのが好ましい。これにより凹部への指の掛かりを確実にできペットボトルを落とすことがない。(請求項２)
【００１０】
さらに本発明にかかる第一のペットボトルにおいて、凹部の開口高さhを15〜20mm程度、前記凹部の開口幅Wを20〜65mm、前記凹部の深さDを20mm以内、前記凹部の胴面に対する天面の傾斜角度θを40〜60度とするのが好ましい。これによりペットボトルを片手で容易に吊り下げられ持ち運びが楽になる。 (請求項３)
【００１１】
さらに本発明にかかる第一のペットボトルにおいて、凹部の天面と底面を繋ぐリブを開口の略中央部に配設した構成とするのが好ましい。これによりペットボトルの剛性が増し、ペットボトルを吊り下げた際のペットボトル変形をより一層防止できる。(請求項４)
【００１２】
本発明にかかる第二のペットボトルにおいて、胴部の胴面に少なくとも１本の指を引っ掛けてペットボトルを吊り下げ搬送できる第一の凹部と、前記第一の凹部の上方に親指を引っ掛ける第二の凹部を対向配置したものであって、前記第一の凹部が奥行き方向に上向き傾斜し、前記第二の凹部が奥行き方向に下向き傾斜してそれぞれアンダーカット状を呈していることを特徴としたもので、これによりペットボトルを片手で容易に吊り下げられ携帯が楽になる。また、親指と、人差し指・中指・薬指の内の少なくとも１本とを引っ掛けてペットボトルの胴面を挟持し,片手でペットボトル内容物をコップ等の容器に注ぐことができる。(請求項５)
【発明の効果】
【００１３】
上記構成により本発明のペットボトルは、半身不随の人、握力の小さい老人・子どもでも容易に片手でペットボトルを吊り下げ持ち運びできる。ペットボトルが結露していても指の掛かりが外れ滑り落ちることがない。また、片手操作で２リットル容積のペットボトルから内容物を容器に注ぐことが可能となる。
【発明を実施するための最良の形態】
【００１４】
本発明にかかるペットボトルは上述の通りである。一般的に各種樹脂製ボトル及びペットボトルの各部は大まかに言って口部４０と該口部に螺合するキャップ、肩部６０、胴部１０、底部５０から構成されている(図２参照)。ペットボトルの横断面形状は矩形、円形、正方形など任意としてよいことは自明である。
【００１５】
胴面に配設する凹部の幅は人差し指１本を引っ掛けて吊り上げるのに必要な開口幅としてもよいし、人差し指、中指、薬指等の複数本の指が入る開口幅とするなど任意に設定してよい。そして、凹部の寸法は例えば、開口高さhを15〜20mm程度、前記凹部の開口幅Wを20〜65mm、前記凹部の深さDを20mm以内、前記凹部の胴面に対する傾斜角度θを40〜60度とするのが好ましい。
また、ペットボトルの剛性を高め取り扱いを容易にするため前記凹部の天面と底面を繋ぐリブを開口の略中央部に配設した構成とするのが好ましい。
【００１６】
ペットボトルの成型は一般的にブロー成型などの工法が用いられるが、前記アンダーカットをなす凹部の成型はスライドコアを併用すれば容易に実施できる。
ボトルを形成するプラスチック材料はポリエチレンテレフタレートの他に、ポリブチレンテレフタレート，ポリエチレンナフタレート，ポリカーボネート，ポリアリレート、又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適に使用される。
また、アクリロニトリル樹脂，ポリプロピレン，プロピレン−エチレン共重合体，ポリエチレン等も使用することができる。
【００１７】
胴面を把持し内容物をコップ等に注ぐ場合は、一対の凹部を対称形に対向配置するのが好ましい。人差し指、中指、薬指等を引っ掛ける凹部と併せ、親指を引っ掛ける凹部を配設するのが好ましい。一対の凹部の配置間隔は図１に示すごとく40〜50mmとするのが好ましい。
【実施例】
【００１８】
以下、本発明の一実施例におけるペットボトルを図面とともに説明する。図１は本発明の一実施例におけるペットボトルの要部正面図、図２は図１を切断線Ｓ−Ｓで切断した側面方向の要部断面図、図３は本発明のもう一つの実施例におけるペットボトルの要部正面図を示す。符号２０は第一の凹部、２１は天面、２２は底面、２３は奥行き側の側面、３０は第二の凹部、３１は天面、３２は底面、３３は奥行き側の側面、３２０は第一の凹部、３２５はリブを示す。
【００１９】
図1、図２に示すペットボトル１００はペットボトルの半分高さより上方の位置に,胴部１０の胴面に少なくとも１本の指(人差し指・中指・薬指の内の少なくとも１本)を引っ掛け、ペットボトルを吊り下げて持ち運び可能にする第一の凹部２０と、前記第一の凹部２０の約４０mm上方に親指を引っ掛ける第二の凹部３０を対向配置したものである。前記第一の凹部２０は奥行き方向に上向き傾斜し、前記第二の凹部３０は奥行き方向に下向き傾斜してそれぞれアンダーカット状を呈している。
【００２０】
第一の凹部２０の寸法は、開口高さhを20mm程度、開口幅Wを55mm程度、深さDを15mm程度、胴面に対する上向き傾斜角度θを55度程度とした。
第二の凹部３０の寸法は前記第一の凹部２０の約４０mm上方に対称形に対向配置してなり、開口高さhを20mm程度、開口幅Wを25mm程度、深さDを15mm程度、胴面に対する下向き傾斜角度を55度程度とした。
【００２１】
上記構成によりペットボトル１００の第一の凹部２０に人差し指等を引っ掛けて容易に吊り下げられ持ち運びが楽になる。また、第二の凹部３０に引っ掛けた親指と、第一の凹部２０に引っ掛けた人差し指・中指・薬指の内の少なくとも１本とでペットボトルの胴面を挟持し,片手でペットボトル内容物をコップ等の容器に注ぐことができる。
【００２２】
なお図３に示すごとく、第一の凹部３２０の天面と底面を繋ぐリブ３２５を開口の略中央部に配設した構成としてもよい。これによりペットボトル２００の胴部剛性が増し、ペットボトルを吊り下げた際のペットボトル変形をより一層防止できる。リブ３２５の幅は3〜5mm程度とするのが好ましい。
【産業上の利用可能性】
【００２３】
本発明は、把手の無い各種ペットボトルとして利用することの他に、醤油、油、酒等を入れた樹脂製食品容器、洗剤を入れた把手のない樹脂製容器等にも利用できる。
【図面の簡単な説明】
【００２４】
【図１】本発明の一実施例におけるペットボトルの要部正面図
【図２】図１を切断線Ｓ−Ｓで切断した側面方向の要部断面図
【図３】本発明のもう一つの実施例におけるペットボトルの要部正面図
【符号の説明】
【００２５】
１０  胴部
２０、３２０  第一の凹部
２１、３１  天面
２２、３２  底面
２３、３３  奥行き側の側面
３０  第二の凹部
３２５  リブ
４０  口部
５０  底部
６０  肩部
１００、２００  ペットボトル
h  開口高さ
D  凹部の深さ
W  凹部の開口幅
θ  胴面に対する傾斜角度
Ｌ  胴部直立高さ
【図１】
2008155970.tif 000003
【図２】
2008155970.tif 000004
【図３】
2008155970.tif 000005
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
胴部の胴面に少なくとも１本の指を引っ掛けてペットボトルを吊り下げ搬送できる第一の凹部と、前記第一の凹部の上方に親指を引っ掛ける第二の凹部を対向配置したものであって、前記第一の凹部が奥行き方向に上向き傾斜し、前記第二の凹部が奥行き方向に下向き傾斜してそれぞれアンダーカット状を呈していることを特徴とするペットボトル。
【請求項２】
第一の凹部において、天面と底面を繋ぐリブを配設したしたことを特徴とする請求項１記載のペットボトル。
【手続補正２】
【補正対象書類名】明細書
【補正対象項目名】０００８
【補正方法】変更
【補正の内容】
【０００８】
本発明にかかる第一のペットボトルは、胴部の胴面に少なくとも１本の指を引っ掛けてペットボトルを吊り下げ搬送できる凹部を配設したものであって、前記凹部が奥行き方向に上向き傾斜しアンダーカット状を呈していることを特徴としたもので、これによりペットボトルが結露していても凹部から指が外れる恐れがない。また、胴部を押圧挟持することによる変形がない。半身不随の人、握力の小さい老人・子どもでも容易に片手でペットボトルを吊り下げて持ち運びできる。
【手続補正３】
【補正対象書類名】明細書
【補正対象項目名】０００９
【補正方法】変更
【補正の内容】
【０００９】
なお、本発明にかかる第一のペットボトルにおいて、指の第一関節の略半分以上が引っ掛かる凹部とするのが好ましい。これにより凹部への指の掛かりを確実にできペットボトルを落とすことがない。
【手続補正４】
【補正対象書類名】明細書
【補正対象項目名】００１０
【補正方法】変更
【補正の内容】
【００１０】
さらに本発明にかかる第一のペットボトルにおいて、凹部の開口高さhを15〜20mm程度、前記凹部の開口幅Wを20〜65mm、前記凹部の深さDを20mm以内、前記凹部の胴面に対する天面の傾斜角度θを40〜60度とするのが好ましい。これによりペットボトルを片手で容易に吊り下げられ持ち運びが楽になる。
【手続補正５】
【補正対象書類名】明細書
【補正対象項目名】００１１
【補正方法】変更
【補正の内容】
【００１１】
さらに本発明にかかる第一のペットボトルにおいて、凹部の天面と底面を繋ぐリブを開口の略中央部に配設した構成とするのが好ましい。これによりペットボトルの剛性が増し、ペットボトルを吊り下げた際のペットボトル変形をより一層防止できる。
【手続補正６】
【補正対象書類名】明細書
【補正対象項目名】００１２
【補正方法】変更
【補正の内容】
【００１２】
本発明にかかる第二のペットボトルにおいて、胴部の胴面に少なくとも１本の指を引っ掛けてペットボトルを吊り下げ搬送できる第一の凹部と、前記第一の凹部の上方に親指を引っ掛ける第二の凹部を対向配置したものであって、前記第一の凹部が奥行き方向に上向き傾斜し、前記第二の凹部が奥行き方向に下向き傾斜してそれぞれアンダーカット状を呈していることを特徴としたもので、これによりペットボトルを片手で容易に吊り下げられ携帯が楽になる。また、親指と、人差し指・中指・薬指の内の少なくとも１本とを引っ掛けてペットボトルの一つの胴面を挟持し,片手でペットボトル内容物をコップ等の容器に注ぐことができる。
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
ペットボトルの半分高さより上方の位置に、胴部の胴面に人差し指、中指、薬指の内の少なくとも１本の指を引っ掛けてペットボトルを吊り下げ搬送可能にする第一の凹部と,前記第一の凹部の上方に親指を引っ掛ける第二の凹部を対向配置したものであって、前記第一の凹部が奥行き方向に上向き傾斜し、前記第二の凹部が奥行き方向に下向き傾斜してそれぞれアンダーカット状を呈していることを特徴とするペットボトル。
【請求項２】
第一の凹部において、天面と底面を繋ぐリブを配設したしたことを特徴とする請求項１記載のペットボトル。